(57)【要約】【課題】  使用寿命を延長した発光装置を提供する。【解決手段】  有機発光モジュール２５に対してカラーフィルター２３を設置し、該有機発光モジュールと該カラーフィルター間には透光隔離層透光隔離層３７を設ける。該透光隔離層は、金属層或いは酸化膜層を選択可能で、外界の湿気或いは酸素が該カラーフィルターを通って該有機発光モジュールに侵入することを効果的に防止することができる。こうしてフルカラー機能を発揮する発光装置を構成し、該発光装置の使用寿命を延長可能である。【選択図】  図  ２
2007134297.tif 000002
【特許請求の範囲】
【請求項１】
カラーフィルター、透光隔離層、絶縁層、少なくとも１個の有機発光モジュールから構成され、
該カラーフィルターは、透光基板表面に少なくとも１枚のカラー透光層を設けると共に保護層により該カラー透光層を覆い保護し、
該透光隔離層を該保護層の表面に外気遮断層として形成し、
該絶縁層は該透光隔離層の表面に形成し、
該有機発光モジュールは、下部電極、該下部電極表面に配置された有機発光層、該有機発光層表面に配置された対向電極層からなり、封入層により該有機発光層を覆蓋されてなることを特徴とする使用寿命を延長した発光装置。
【請求項２】
前記透光隔離層は、金属薄膜層、酸化物薄膜層、及びその組合せから選択され、
該金属薄膜層は、アルミニウム、クロム、スズ、インジウム、タンタル、プラチナ、金、銀及びその組合せから選択された材質からなり、
該酸化物薄膜層は、酸化スズ、三酸化二アルミニウム、三酸化二クロム、二酸化スズ、酸化銀及びその組合せから選択された材質から形成されてなることを特徴とする請求項１記載の使用寿命を延長した発光装置。
【請求項３】
前記透光隔離層は、二酸化シリコン層及び絶縁基板から選択され、該透光隔離層と該下部電極間には第二酸化物薄膜層を設けてなることを特徴とする請求項１記載の使用寿命を延長した発光装置。
【請求項４】
前記発光装置は、第二酸化物薄膜層を該金属薄膜層と該下部電極層間に形成し、該酸化物薄膜層は三酸化二クロムであることを特徴とする請求項２記載の使用寿命を延長した発光装置。
【請求項５】
基板、透光隔離層、下部電極層、有機発光層、対向電極層からなり、
該透光隔離層は、該基板表面に外気遮断層として設け、
該下部電極層は、該透光隔離層の表面に形成し、
該有機発光層は、該下部電極層の表面に設け、
該対向電極層は、該有機発光層の一部分の表面に設けてなることを特徴とする請求項１記載の使用寿命を延長した発光装置。
【請求項６】
前記透光隔離層は、酸化物薄膜層からなり、該酸化物は酸化スズ、三酸化二アルミニウム、三酸化二クロム、二酸化スズ、酸化銀及びその組合せから選択してなることを特徴とする請求項５記載の使用寿命を延長した発光装置。
【発明の詳細な説明】
【技術分野】
【０００１】
本発明は一種の発光装置に関する。特に一種の使用寿命を延長したフルカラー発光装置である使用寿命を延長した発光装置に係る。
【背景技術】
【０００２】
OLEDは自主発光性を具え、反応速度が速く、軽量で薄く、消費電力が低く、視野角が広く、輝度が高く、フルカラー化が可能で製造工程がシンプルであるという長所を具えるため、ディスプレーと照明産業が高い期待を寄せる技術である。
OLEDを白色光源或いはフルカラー発光装置として使用するため、業界では各種ソリューションを探って来たが、現在主に採用されているのは以下の３種である。
1.３色発光層構造:主に赤(R)、緑(G)、青(B)の三原色の有機発光部品をそれぞれ発光させ、フルカラー効果を直接得る発光装置。
2.カラーコンバージョン膜構造:主に青色光OLE部品を発射光源として利用し、この青色光をカラーコンバージョン薄膜にエキシトンし、RGB三原色の可視光を得る。またこれによりフルカラー化の目的を達成する。
3.カラーフィルター構造:主に白色有機発光部品をバックライトとして利用し、既に技術が成熟しているLCDカラーフィルターを組合せ使用し、カラーフィルターがバックライトの照射を受けることによりフルカラーの表示効果を生じる。
【０００３】
内、図１に示すように、カラーフィルター構造のOLED１１は、カラーフィルター１３、絶縁層(二酸化シリコン)１７、有機発光モジュール１５を含む。該カラーフィルター１３は透光基板１３５、カラーフィルター層１３１、保護層１３３を含む。該有機発光モジュール１５は、下部電極層１５１(酸化スズなど)、有機発光層１５３、対向電極層１５５を含み、封入層１５７により該有機発光層１５３を包覆し保護する。また該有機発光モジュール１５と該カラーフィルター層１３間には該絶縁層(二酸化シリコン)１７を設置する。
該有機発光モジュール１５は、該カラーフィルター１３のバックライトとし、該有機発光層１５３が発する白色などの光線は、該下部電極層１５１、該絶縁層(二酸化シリコン)１７、該保護層１３３を通過し、該カラーフィルター層１３１に照射後、該カラーフィルター層１３１の作用を経て必要とする特定波長光線に転換され、フルカラー表示効果を達成する。
該有機発光層１５３は、発光の過程において熱を発するが、この熱は既に該封入層１５７内に既に存在する湿気或いは酸素と相互作用を生じ、該有機発光層１５３表面に酸化現象を発生する。これにより黒点を生じ、該黒点の存在は該有機発光層１５３の発光強度と発光の均一性に影響を及ぼし、ひどい場合には該有機発光モジュール１５の使用寿命にも影響を与える。
【０００４】
黒点により生じる欠点を改善するため、業界では該封入層１５７内に吸湿層１５９を設置し、湿気の残留を防止する方法を採用している。
しかし、該吸湿層１５９は該封入層１５７内の製造時に残留する可能性がある湿気を除去することはできるが、OLEDの使用後に外界から、特に該カラーフィルター１３位置より侵入して来る湿気や酸素にまでは対応することはできない。
また公知構造の該二酸化シリコン層１７も外界水分或いは酸素の該有機発光モジュール１５への侵入を阻止する機能は具えるが、該二酸化シリコン層１７は割れ易く、弾力性のない材質であるため、割れ目(図示なし)が生じ易い。該有機発光モジュール１５と該カラーフィルター１３の結合過程においては、不適等な作用力により、該二酸化シリコン層１７にしばしば割れ目が生じることがあり、該割れ目が後に外界の湿気や酸素が該カラーフィルター１３を通して該有機発光モジュール１５に侵入するルートW１になり得る。よって、やはり外界の湿気や酸素の影響を免れることはできず、同様に該有機発光モジュール１５と該OLED１１の使用寿命を短くしてしまっている。
【特許文献１】特開２００５−３３１７９６号公報
【特許文献２】特開２００５−３０２４０１号公報
【発明の開示】
【発明が解決しようとする課題】
【０００５】
公知構造には以下の欠点があった。
すなわち、有機発光層が発光の過程において発する熱は封入層内に存在する湿気或いは酸素と相互作用を生じ、該有機発光層表面に酸化現象を発生し黒点を生じるため、有機発光層の発光強度と発光の均一性、さらには有機発光モジュールの使用寿命にも影響を与える。該黒点により生じる欠点を改善するため採用される吸湿層を設置する方法も製造段階における湿気の残留を防止可能なだけで、使用後にカラーフィルター位置より侵入して来る湿気や酸素に対応することはできない。さらに、外界水分或いは酸素の有機発光モジュールへの侵入を阻止する機能を具える二酸化シリコン層は割れ易く、弾力性のない材質であるため、割れ目が生じ易く、該割れ目が外界の湿気や酸素が該カラーフィルターを通して該有機発光モジュールに侵入するルートになってしまう。
本発明は上記構造の問題点を解決した使用寿命を延長した発光装置を提供するものである。
【課題を解決するための手段】
【０００６】
上記課題を解決するため、本発明は下記の使用寿命を延長した発光装置を提供する。
それは主にフルカラー機能を発揮する発光装置を構成し、該発光装置の使用寿命を延長可能で、
またそれはカラーフィルターと二酸化シリコン層間に透光隔離層を設置し、これにより外界湿気或いは酸素が有機発光モジュールに侵入することを防止し、OLEDの使用寿命を延長し、
さらにそれは透光隔離層の覆蓋により、カラーフィルターの保護層の平坦度を増し、有機発光モジュールの接合性を向上させ、良好な発光効果を達成し、
またそれは有機発光モジュールの透光基板と下部電極間には透光隔離層を設置し、これにより有機発光層の使用寿命を延長し、
すなわちそれはカラーフィルター、透光隔離層、絶縁層、少なくとも１個の有機発光モジュールを含み、
該カラーフィルターは主に透光基板表面に少なくとも１枚のカラー透光層を設置し、保護層により該カラー透光層を覆い保護し、
該透光隔離層は該保護層の表面に固設し、
該絶縁層は該透光隔離層の表面に固設し、
該有機発光モジュールは下部電極を含み、該下部電極表面には有機発光層を設置し、該有機発光層表面には対向電極層を設置し、該封入層により該有機発光層を覆蓋することを特徴とする使用寿命を延長した発光装置である。
【発明の効果】
【０００７】
上記のように、本発明はフルカラー機能を発揮する発光装置を構成し、該発光装置の使用寿命を延長可能である。
【発明を実施するための最良の形態】
【０００８】
図２に示すように、本発明OLED２１は公知技術と同様にカラーフィルター２３、絶縁層２７、有機発光モジュール２５を含む。
該カラーフィルター２３は、透光基板２３５上に順番に赤(R)、緑(G)、青(B)の３色のカラーフォトレジストを含むカラー透光層２３１と保護層２３３を含む。該保護層２３３はアクリル樹脂或いはエポキシ樹脂により構成し、該カラー透光層２３１を覆い保護する。
該カラーフィルター２３の表面には二酸化シリコン層などの該絶縁層２７を設置し、該透光基板２３５に存在するナトリウムイオンなどの小分子が該保護層２３３を通過し、該有機発光モジュール２５のバリアを破壊しないよう隔離する。
該有機発光モジュール２５は、光透過可能な導電性電極の酸化スズなどの下部電極２５１表面において、少なくとも１個の有機発光層２５３と対向電極層２５５を順番に設置する。該封入層２５７の覆蓋により該有機発光層２５３を保護し、該有機発光モジュール２５を該絶縁層２７の表面に設置する。これにより、該有機発光モジュール２５全体と外界環境は隔離され、湿気、酸素、或いは基板小分子の該有機発光モジュール２５への侵入を防止する。さらに、該封入層２５７内にも吸湿層２５９を設置し、製造過程において該封入層２５７内に残留する湿気を完全に吸収する。
【０００９】
本発明においては、該絶縁層２７に微小な隙間が生じ易く、外界の水分が該有機発光モジュール２５に侵入するという欠点を解決するために、該絶縁層２７と該カラーフィルター２３間には透光隔離層３７を増設する。該透光隔離層３７はアルミニウム、クロム、スズ、インジウム、タンタル、プラチナ、金、銀などの金属薄膜、或いは酸化スズ、三酸化二アルミニウム、三酸化二クロム、二酸化スズ、酸化銀などの酸化物薄膜層で、該透光隔離層３７の作用により、該絶縁層２７が割れ易く弾力性に欠けるという欠点を補うことができる。こうして、該有機発光モジュール２５の外界湿気に対する隔離性能を強化する。つまり、湿気或いは酸素は、元々該カラーフィルター２３位置から該有機発光モジュール２５の通道W２に至るが、該透光隔離層３７により阻まれるため、該有機発光モジュール２５或いは該有機発光層２５３の使用寿命を延長する目的を達成することができる。
また該保護層２３３と該絶縁層２７は異質結合構造であるため、光透過不均一及び接着不良の恐れが存在するが、該透光隔離層３７の設置により、該カラーフィルター２３と該有機発光モジュール２５間の結合性は向上し、当然該OLED２１の発光効率向上に対してもプラスに作用する。
【００１０】
続いて図３に示すように、本発明の別種の実施例において該透光隔離層３７は金属薄膜層とし、該絶縁層２７が破損した時に、該透光隔離層３７と該下部電極２５１が回路の導通を形成し、OLED３１に対して不要な干渉を招かないようにする。本実施例中では該透光隔離層３７形成、その表面に酸化処理を施し、或いは二酸化二クロムなどの第二酸化物薄膜層３７５を直接形成することができる。こうして該有機発光モジュール２５と該OLED３１の使用の安定性を確保する。
さらに図４に示すように、本発明のさらに別種の実施例においては、前記実施例の絶縁層２７を絶縁基板５７に替える。こうして該有機発光モジュール２５と該絶縁基板５７は組合され白色光を生じるOLEDを形成する。
【００１１】
次に図５に示すように、本発明のさらに別種の実施例においては、一般のOLED４１は前記実施例の有機発光モジュール２５を採用するが、白色有機発光モジュールに限定せず、各色光の有機発光モジュールを適用することができる。
それは主に基板４３の表面に順番に透光隔離層４７、下部電極４５１、有機発光層４５３、対向電極４５５を形成し、封入層４５７の覆蓋により該有機発光層４５３全体を覆蓋及び保護する。該透光隔離層４７の作用により、外界の湿気或いは酸素が該基板４３部分から該封入層４５７内に侵入することを防ぐ効果を同様に達成する。こうして、該有機発光層４５３を保護し、該OLED４１の使用寿命を延長する目的を達成する。
また該透光隔離層４７は、前記同様に酸化物薄膜、或いは二酸化シリコン層を選択可能で、該封入層４５７内には吸湿層４５９を設置する。
【図面の簡単な説明】
【００１２】
【図１】公知の有機発光モジュールをバックライトとするOLED構造の断面図である。
【図２】本発明OLED最適実施例の構造断面図である。
【図３】本発明の別種の実施例の構造断面図である。
【図４】本発明の別種の実施例の構造断面図である。
【図５】本発明の別種の実施例の構造断面図である。
【符号の説明】
【００１３】
１１  OLED
１３  カラーフィルター
１３１  カラーフィルター層
１３３  保護層
１３５  透光基板
１５  有機発光モジュール
１５１  下部電極層
１５３  有機発光層
１５５  対向電極層
１５７  封入層
１５９  吸湿層
１７  二酸化シリコン層
２１  OLED
２３  カラーフィルター
２３１  カラー透光層
２３３  保護層
２３５  透光基板
２５  有機発光モジュール
２５１  下部電極層
２５３  有機発光層
２５５  対向電極層
２５７  封入層
２５９  吸湿層
２７  絶縁層
３１  OLED
３７  透光隔離層
３７５  第二酸化物薄膜層
４１  OLED
４３  基板
４５１  下部電極
４５３  有機発光層
４５５  対向電極層
４５７  封入層
４５９  吸湿層
４７  透光隔離層
５７  絶縁基板
【図１】
2007134297.tif 000003
【図２】
2007134297.tif 000004
【図３】
2007134297.tif 000005
【図４】
2007134297.tif 000006
【図５】
2007134297.tif 000007